(57)【特許請求の範囲】
【請求項１】
鳴動装置を有する携帯端末装置において、
電源投入後から第１の起動時間で起動する第１の制御部と、
前記第１の起動時間より遅い起動時間で起動する第２の制御部と、
前記第１の制御部の起動に基づき、プログラム命令にしたがって第１の鳴動音を出力する第１の音源と、
前記第１の制御部により制御され、前記第１の音源の前記第１の鳴動音に替わって第２の鳴動音を出力する第２の音源と、
前記第２の制御部の起動に基づき、プログラム命令にしたがって、前記第２の音源の前記第２の鳴動音に替わって第３の鳴動音を出力する第３の音源と、
を備える携帯端末装置。
【請求項２】
前記第１の制御部は無線部であり、前記第２の制御部はアプリケーション部であることを特徴とする請求項１に記載の携帯端末装置。
【請求項３】
音源をソフトウェア制御により鳴動させるブザーを有する携帯端末装置において、
第１の音を出力する第１の音源と、
第１のプログラム命令にしたがって前記第１の音源を制御して前記第１の音を鳴動させる音源制御手段であって、電源投入後直ちに実行される第１の音源制御手段と、
第１の音と異なる第２の音を出力する第２の音源と、
第２のプログラム命令にしたがって前記第２の音源を制御して前記第２の音を鳴動させる音源制御手段であって、前記第１の音源制御手段に替えて動作する第２の音源制御手段と、
前記第１の音及び前記第２の音のいずれとも異なる第３の音を出力する第３の音源と、
第３のプログラム命令にしたがって前記第３の音源を制御して前記第３の音を鳴動させる音源制御手段であって、前記第２の音源制御手段に替えて動作する第３の音源制御手段と、
を備える携帯端末装置。
【請求項４】
前記第１の音源制御手段と前記第２の音源制御手段は、無線による音声通信やデータ通信を行なう無線手段が、所定のプログラムをそれぞれ実行することにより実行され、前記第３の音源制御手段は、任意のプログラムを実行して所望の機能を実現するアプリケーション手段が、所定のプログラムを実行することにより実現される、ことを特徴とする請求項３に記載の携帯端末装置。
【請求項５】
現在のバッテリの残容量を取得して該残容量と所定の基準容量とを比較し、残容量が基準容量以下の場合、前記無線手段にのみ電力を供給して前記第１の音源制御手段を実行させる電源制御手段、をさらに備える請求項４に記載の携帯端末装置。
【請求項６】
現在のバッテリの残容量を取得して該残容量と所定の基準容量とを比較し、残容量が基準容量以下の場合、前記アプリケーション手段への電力の供給を停止して、前記無線手段に前記第１の音源制御手段を実行させる電源制御手段、をさらに備える請求項４に記載の携帯端末装置。
【請求項７】
音源をソフトウェア制御により鳴動させる鳴動装置において、
第１の音を出力する第１の音源と、
第１のプログラム命令にしたがって前記第１の音源を制御して前記第１の音を鳴動させる音源制御手段であって、電源投入後直ちに実行される第１の音源制御手段と、
前記第１の音と異なる第２の音を出力する第２の音源と、
第２のプログラム命令にしたがって前記第２の音源を制御して前記第２の音を鳴動させる音源制御手段であって、前記第１の音源制御手段に替えて動作する第２の音源制御手段と、
前記第１の音及び前記第２の音のいずれとも異なる第３の音を出力する第３の音源と、
第３のプログラム命令にしたがって前記第３の音源を制御して前記第３の音を鳴動させる音源制御手段であって、前記第２の音源制御手段に替えて動作する第３の音源制御手段と、
を備える鳴動装置。
【請求項８】
音源をソフトウェア制御により音を鳴動させる鳴動方法において、
第１のプログラム命令にしたがって第１の音を出力する第１の音源を制御し、前記第１の音を、電源投入後直ちに鳴動させる第１の音源制御処理と、
第２のプログラム命令にしたがって、前記第１の音と異なる第２の音を出力する第２の音源を制御し、前記第２の音を、前記第１の音源制御処理に替えて鳴動させる第２の音源制御処理と、
第３のプログラム命令にしたがって、前記第１の音及び前記第２の音のいずれとも異なる第３の音を出力する第３の音源を制御し、前記第３の音を、前記第２の音源制御処理に替えて鳴動させる第３の音源制御処理と、
を有する鳴動方法。
【発明の詳細な説明】
【技術分野】
【０００１】
本発明は、鳴動動作を行なう鳴動装置を有する携帯端末装置に関する。
【背景技術】
【０００２】
近年、防犯意識の高まりとともに、携帯電話機等の携帯端末装置に防犯用の鳴動装置、例えばブザーやアラームが搭載されたものが普及しつつある。
従来、携帯電話機に搭載されている防犯用のブザーは、ハードウェアによって制御される仕組みとなっている。例えば、携帯電話機に携帯電話機の電源オン状態／オフ状態とは無関係に鳴動可能なハードウェアが備えられている。これにより、携帯電話機本体の電源がオフの状態であった場合でも、ブザーのスイッチがオンになると鳴動動作が可能となっている。
【０００３】
しかし、上述のようなハードウェア制御による防犯用のブザーを携帯電話機等の携帯端末装置に搭載する場合、携帯端末装置毎に当該ハードウェアを搭載することになり、台数に比例して製造コスト等のコストがかかるという問題があった。
【０００４】
そこで、例えば、特許文献１には、警報音の種類をプログラムによって決定するデータを指示する手段と、このデータを一定周期毎に１ビットずつ出力する手段と、を設けることにより、音色切り替えの分周回路等を設けることなく幅広い音色を作り出せる警報音制御方法について開示されている。
【０００５】
しかし、特許文献１のようにソフトウェア制御によって鳴動を携帯端末装置に備える場合、携帯端末装置が起動している状態では問題なく鳴動が可能であるが、携帯端末装置が起動していない状態（例えば、携帯端末装置の電源がＯＦＦの状態）ではブザーを鳴動させることができないという問題があった。また、携帯端末装置が起動するにはある程度時間を要するため、ブザーのスイッチ等により鳴動の開始を指示して実際にブザーの鳴動が開始するまでに時間がかかるという問題があった。
【０００６】
この技術に関連して、特許文献２には、携帯電話機が電源を落とす処理を行なっている場合であっても、防犯ブザーのスイッチを入れると、即座に鳴り、かつ、鳴り続ける防犯機能を備えた携帯電話機について開示されている。
【特許文献１】特開平０２−２５３４０９号公報
【特許文献２】特開２００７−０８２１２２号公報
【発明の開示】
【発明が解決しようとする課題】
【０００７】
本件開示の装置は、電源オフの状態から鳴動開始までの時間の短い鳴動装置を有する携帯端末装置を提供することである。
【課題を解決するための手段】
【０００８】
上記課題を解決するために、本件開示の装置は、鳴動装置を有する携帯端末装置において、電源投入後から第１の起動時間で起動する第１の制御部と、前記第１の起動時間より遅い起動時間で起動する第２の制御部と、前記第１の制御部の起動に基づき、プログラム命令に従って鳴動音を出力する音源と、を備える。
【発明の効果】
【０００９】
以上に説明したように、本件開示の装置によると、電源オフの状態から鳴動開始までの
時間の短い鳴動装置を有する携帯端末装置を提供することが可能となる。
【発明を実施するための最良の形態】
【００１０】
以下、図面を参照して実施の形態を説明する。ただし、以下に説明する実施形態は、あくまでも例示であり、以下に明示しない種々の変形や技術の適用を排除する意図はない。即ち、本実施形態は、その趣旨を逸脱しない範囲で種々変形（各実施例を組み合わせる等）して実施することができる。
【００１１】
図１は、本実施例に係るブザーを防犯用に備えた携帯端末装置１００の構成例を示す図である。
図１に示すように、本実施例に係る携帯端末装置１００は、無線通信用のアンテナ１０１と、無線通信機能を実現し、第１の制御部に対応する無線部１０２と、所定のプログラムを実行して画面表示などを行ない、第２の制御部に対応するアプリケーション部１０３と、無線部１０２−アプリケーション部１０３間のデータの授受を制御するＩＦ（Ｉｎｔｅｒｆａｃｅ）制御部１０４と、本ブザーのスイッチである防犯ブザースイッチ１０５と、任意の文字等を表示する表示部１０６と、文字等を入力する手段であるキーパット部１０７と、無線部１０２の制御により鳴動する、音源に対応する簡易音源部１０８および音源部１０９と、アプリケーション部１０３の制御により鳴動する音源部１１０と、ブザー音を出力する、鳴動装置に対応するスピーカ１１１と、を備える。
【００１２】
無線部１０２は、無線通信を行なうための制御を行なう通信制御部１０２ａと、電源制御を行なう電源制御部１０２ｂと、簡易音源部１０８の鳴動を制御する簡易音源制御部１０２ｃと、音源部１０９の鳴動を制御する音源制御部１０２ｄと、を備える。
【００１３】
ここで、通信制御部１０２ａは、必要に応じた無線通信方式を用いて他の携帯端末装置等と音声通信やデータ通信を行なう制御を行なう。
電源制御部１０２ｂは、本携帯端末装置１００を構成するハードウェアに対する電源制御を行なう。例えば、図示しない携帯端末装置１００のスイッチをＯＮにすると、電源制御部１０２ｂは、無線部１０２への電力供給を開始するとともに、アプリケーション部１０３への電力供給も開始する。防犯ブザースイッチ１０５からの指示に対しても同様である。
【００１４】
簡易音源制御部１０２ｃは、簡易音源部１０８を鳴動するための手段であり、音源制御部１０２ｄは、音源部１０９を鳴動するための手段である。例えば、防犯ブザースイッチ１０５がＯＮとなって無線部１０２が起動を開始した場合、簡易音源制御部１０２ｃは早い段階で動作可能となり簡易音源部１０８を鳴動させる。簡易音源制御部１０２ｃは、携帯端末装置１００に電源投入されて動作可能な状態になり次第、簡易音源部１０８の鳴動を直ちに実行する。次いで、音源制御部１０２ｄが動作可能となると、簡易音源制御部１０２ｃによる鳴動を停止し、音源制御部１０２ｄが音源部１０９を鳴動させる。
【００１５】
アプリケーション部１０３は、表示部１０６への表示制御を行なう画面表示制御部１０３ａと、キーパット部１０７からの入力を検出するキーパット制御部１０３ｂと、音源部１１０の鳴動を制御する音源制御部１０３ｃと、を備える。
【００１６】
画面表示制御部１０３ａは、実行されるプログラム（Ｅメール、ＷＥＢブラウザ、アドレス帳など）にしたがって表示部１０６に画面表示を行なう。また、キーパット制御部１０３ｂは、キーパット部１０７によるキー入力を検出し、画面表示制御部１０３ａに検出したキーを表示部１０６に表示させる。また、音源制御部１０３ｃは、音源部１１０を鳴動するための手段である。
【００１７】
防犯ブザースイッチ１０５は、当該スイッチが入力されたことを検出すると、電源制御部１０２ｂに通知を行なうスイッチである。表示部１０６は、例えば、ＬＣＤ（Ｌｉｑｕｉｄ  Ｃｒｙｓｔａｌ  Ｄｉｓｐｌａｙ）や有機ＥＬ（Ｅｌｅｃｔｒｏ−Ｌｕｍｉｎｅｓｃｅｎｃｅ）等によって構成される表示装置である。キーパット部１０７は、電話番号や文字（英数字を含む）などを入力するために英数字キーやファンクションキー等で構成されるキーパットである。
【００１８】
簡易音源部１０８および音源部１０９は、無線部１０２によって鳴動される音源装置である。また、音源部１１０は、アプリケーション部１０３によって鳴動される音源装置である。
【００１９】
本実施例の場合、（１）簡易音源部１０８、（２）音源部１０９、（３）音源部１１０の順に複雑な音を鳴動することが可能となっている。例えば、簡易音源部１０８で実現できる音はビープ音であり、音源部１０９ではワーブルトーン、音源部１１０では所定のブザー音が実現可能となっている。したがって、例えば、簡易音源部１０８にはビープ音源、音源部１０９にはＦＭ（Ｆｒｅｑｕｅｎｃｙ  Ｍｏｄｕｌａｔｉｏｎ）音源、音源部１１０にはＰＣＭ（Ｐｕｌｓｅ  Ｃｏｄｅ  Ｍｏｄｕｌａｔｉｏｎ）音源を用いてればよい。
【００２０】
なお、本実施例に係る無線部１０２とアプリケーション部１０３は、それぞれ独立したＣＰＵ（Ｃｅｎｔｒａｌ  Ｐｒｏｃｅｓｓｉｎｇ  Ｕｎｉｔ）に所定のプログラムを実行することによって実現される。
【００２１】
例えば、携帯端末装置１００に電源が投入されると、電源制御部１０２ｂは無線部１０２に電力を供給するとともに、アプリケーション部１０３に対しても電力供給を行なうように電源制御を行なう。
【００２２】
無線部１０２では、所定の順番にしたがってプログラムが実行され、通信制御部１０２ａ、簡易音源制御部１０２ｃ、音源制御部１０２ｄ等が起動する。また、アプリケーション部１０３でも、所定の順序にしたがってプログラムが実行され、画面表示制御部１０３ａ、キーパット制御部１０３ｂ、音源制御部１０３ｃ等が起動する。
【００２３】
ここで、簡易音源制御部１０２ｃは、ビープ音を鳴動するので、無線部１０２が起動してすぐに動作可能となる。その後、より複雑な音を実行できる音源制御部１０２ｄが起動する。
【００２４】
また、本実施例に係る携帯端末装置１００は、無線部１０２の起動の方が、アプリケーション部１０３の起動より、早く完了する場合を例として示している。
以上のように、本実施例に係る携帯端末装置１００では、（１）簡易音源制御部１０２ｃ、（２）音源制御部１０２ｄ、（３）音源制御部１０３ｃ、の順に動作可能となる。すなわち、（１）簡易音源部１０８、（２）音源部１０９、（３）音源部１１０、の順に鳴動可能となる。
【００２５】
図２は、本実施例に係る携帯端末装置１００の防犯ブザースイッチ１０５の例を示している。
図２の（ａ）は、防犯ブザースイッチ１０５がＯＦＦの状態を示し、図２の（ｂ）は、防犯ブザースイッチ１０５がＯＮの状態を示している。
【００２６】
図２に示すように、防犯ブザースイッチ１０５は、携帯端末装置１００に対して摺動可能に装着されている。防犯ブザースイッチ１０５を図面上方に摺動すると、ブザースイッ
チ１０５は、ＯＮ状態となる。この時、電源制御部１０２ｂに対して所定の信号が通知されて、防犯ブザーの鳴動処理が開始することになる。
【００２７】
図３は、本実施例に係る携帯端末装置１００における防犯ブザーの鳴動処理の概要について説明する図である。
（ステップＳ３０１）
携帯端末装置１００の電源がＯＦＦの状態で、防犯ブザースイッチ１０５がＯＮとなると、所定の信号が電源制御部１０２ｂに通知される。すると、電源制御部１０２ｂは、無線部１０２に対して電力の供給を開始するとともに、アプリケーション部１０３に対しても電力の供給を開始する。
【００２８】
（ステップＳ３０２）
無線部１０２が起動を開始すると、約０．２秒後に簡易音源制御部１０２ｃが動作可能となり、簡易音源制御部１０２ｃの鳴動を開始する。この時のブザー音は、「ピー・・・」というビープ音となる。
【００２９】
（ステップＳ３０３）
無線部１０２の起動開始から約１秒後には、音源制御部１０２ｄが動作可能となる。この時、音源制御部１０２ｄは、簡易音源制御部１０２ｃの動作を停止するとともに、音源部１１０の鳴動を開始する。この時のブザー音は、「ピュル、ピュル・・・」というワーブルトーンとなる。
【００３０】
（ステップＳ３０４）
無線部１０２とともに起動を開始したアプリケーション部１０３において、起動開始から約１０秒後に音源制御部１０３ｃが動作可能となる。音源制御部１０３ｃは、ＩＦ制御部１０４を介して音源制御部１０３ｃと通信を行なって鳴動の停止を通知するとともに、音源部１１０の鳴動を開始する。この時のブザー音は、「ピーポー、ピーポー・・・」という所定のブザー音となる。
【００３１】
音源制御部１０３ｃは、例えば、防犯ブザースイッチ１０５がＯＦＦ状態となるまでブザー音の鳴動を継続することとなる。なお、上述した経過時間（０．２秒、１秒、１０秒）は、携帯端末装置１００における防犯ブザーの鳴動処理についての理解を容易にするために使用したものであって、上述の経過時間に限定する趣旨ではない。
【００３２】
図４は、図３に示した本実施例に係る防犯ブザーの鳴動処理における各処理部の動作を説明する図である。
防犯ブザースイッチ１０５は、ＯＮ／ＯＦＦの状態に応じた所定の信号を無線部１０２（電源制御部１０２ｂ）に通知する。
【００３３】
無線部１０２（電源制御部１０２ｂ）は、防犯ブザースイッチ１０５がＯＮ状態となったことを通知されると、無線部１０２自身を起動するとともに、アプリケーション部１０３を起動させる。
【００３４】
無線部１０２が簡易音源制御部１０２ｃが動作可能な段階まで起動すると、無線部１０２は簡易音源部１０８を使用して鳴動を開始する。すると、簡易音源部１０８は、スピーカ１１１を介してビープ音を鳴動する。
【００３５】
無線部１０２が音源制御部１０３ｃが動作可能な段階まで起動すると、無線部１０２は簡易音源部１０８による鳴動を停止し、音源部１０９を使用して鳴動を開始する。すると、音源部１０９は、スピーカ１１１を介してワーブルトーンを鳴動する。
【００３６】
さらに、アプリケーション部１０３が音源制御部１０３ｃが動作可能な段階まで起動すると、音源部１０９による鳴動を停止して、音源部１１０を使用した鳴動を開始する。す
ると、音源部１１０は、スピーカ１１１を介して所定のブザー音を鳴動する。
【００３７】
図５は、本実施例に係る携帯端末装置１００の防犯ブザーの鳴動処理を説明するフローチャートである。なお、携帯端末装置１００の電源がＯＦＦの状態で防犯ブザースイッチ１０５をＯＮにした場合について説明する。
（ステップＳ５００）
防犯ブザースイッチ１０５がＯＮ状態となると、ＯＮ状態を示す所定の信号が電源制御部１０２ｂに通知される。
【００３８】
（ステップＳ５０１）
防犯ブザースイッチ１０５から通知を受けると、電源制御部１０２ｂは、携帯端末装置１００に備わるバッテリの残容量が検出する。そして、電源制御部１０２ｂは、検出した残容量とあらかじめ決められた基準容量とを比較する。
【００３９】
そして、残容量が基準容量以下の場合、電源制御部１０２ｂは、無線部１０２に電力を供給して無線部１０２を起動する。また、残容量が基準容量より大きい場合、電源制御部１０２ｂは、無線部１０２に対して電力を供給するとともにアプリケーション部１０３に対しても電力を供給し、無線部１０２とアプリケーション部１０３とを起動する。
【００４０】
ステップＳ５００において、携帯端末装置１００の電源がＯＮの状態で防犯ブザースイッチ１０５がＯＮされた場合、残容量が基準容量以下のとき、電源制御部１０２ｂは、アプリケーション部１０３への電力の供給を停止して、無線部１０２（残容量に応じて簡易音源制御部１０２ｃまたは音源制御部１０２ｄ）に鳴動処理を指示し、残容量が基準容量より大きい場合、アプリケーション部１０３（音源制御部１０３ｃ）に鳴動処理を指示すればよい。
【００４１】
（ステップＳ５０２ａ）
電源制御部１０２ｂの操作により無線部１０２の起動を開始する。この時、携帯端末装置１００に備わる記憶装置から順次プログラムを読み出して、携帯端末装置１００に備わるメモリに実行可能に配置することにより、通信制御部１０２ａ、電源制御部１０２ｂ、簡易音源制御部１０２ｃ、音源制御部１０２ｄ等を実行可能な状態にしていく。
そして、簡易音源制御部１０２ｃが実行可能な状態となると、簡易音源制御部１０２ｃは簡易音源部１０８に対してビープ音の鳴動を指示する。
【００４２】
（ステップＳ５０２ｂ）
ステップＳ５０２ａと同様に、電源制御部１０２ｂの操作によりアプリケーション部１０３の起動を開始し、携帯端末装置１００に備わる記憶装置から順次プログラムを読み出して、携帯端末装置１００に備わるメモリに実行可能に配置することにより、画面表示制御部１０３ａ、キーパット制御部１０３ｂ、音源制御部１０３ｃ等を実行可能な状態にしていく。
【００４３】
（ステップＳ５０３）
簡易音源部１０８は、簡易音源制御部１０２ｃからの指示にしたがってビープ音をスピーカ１１１から出力する。
（ステップＳ５０４）
無線部１０２における初期化完了し、音源制御部１０２ｄが実行可能な状態となると、音源制御部１０２ｄは、簡易音源制御部１０２ｃに対して鳴動の停止を指示するとともに、音源部１０９に対してワーブルトーンの鳴動を指示する。
【００４４】
（ステップＳ５０５）
音源部１０９は、音源制御部１０２ｄからの指示にしたがってワーブルトーンをスピーカ１１１から出力する。
（ステップＳ５０６）
電源制御部１０２ｂの操作により起動を開始したアプリケーション部１０３が初期化を
完了すると、音源制御部１０３ｃが動作可能となる。そして、音源制御部１０３ｃは、音源制御部１０３ｃに対して鳴動の停止を指示するとともに、音源部１１０に対して所定のブザー音の鳴動を指示する。
【００４５】
（ステップＳ５０７）
音源部１１０は、音源制御部１０３ｃからの指示にしたがって所定のブザー音をスピーカ１１１から出力する。
なお、ステップＳ５０１は、電源制御部１０２ｂは、単に、無線部１０２に対して電力を供給するとともにアプリケーション部１０３に対しても電力を供給し、無線部１０２とアプリケーション部１０３とを起動するようにしてもよい。
【００４６】
以上の説明において、本実施例に係る携帯端末装置１００は、無線部１０２の方がアプリケーション部１０３よりも起動が早いために、簡易音源制御部１０２ｃおよび音源制御部１０２ｄを無線部１０２に備え、音源制御部１０３ｃをアプリケーション部１０３に備えたが、この構成に限定するものではない。
【００４７】
例えば、アプリケーション部１０３の方が無線部１０２よりも起動が早い場合、簡易音源制御部１０２ｃおよび音源制御部１０２ｄをアプリケーション部１０３に備え、音源制御部１０３ｃを無線部１０２に備えてもよい。
【００４８】
無線部１０２は、簡易音源制御部１０２ｃのみの構成であってもよい。この場合、音源制御部１０３ｃが起動可能となるまで、簡易音源制御部１０２ｃがビープ音を鳴動すればよい。
【００４９】
音源部１０９と音源部１１０には、１つの共通の音源部を使用してもよい。この場合、音源制御部１０２ｄまたは音源制御部１０３ｃの指示に応じたブザー音を鳴動可能なものであればよい。
【００５０】
本実施例に係る携帯端末装置１００は、無線部１０２とアプリケーション部１０３とを備えているが、例えば、１つのＣＰＵで実行されるプログラムによって制御されるブザー装置の場合においても本実施例は適用可能である。すなわち、ソフトウェア制御によるブザー装置に、簡易音源制御部１０２ｃおよび音源制御部１０２ｄ（または音源制御部１０３ｃ）と、簡易音源部１０８および音源部１１０を備えればよい。
【００５１】
以上に説明したように、本実施例に係る携帯端末装置１００は、電源ＯＦＦの状態から無線部１０２とアプリケーション部１０３とを起動する過程において、（１）簡易音源制御部１０２ｃ、（２）音源制御部１０２ｄ、（３）音源制御部１０３ｃの順に鳴動処理を行なう。すなわち、動作可能な状態となったものから順に鳴動処理を行なわせる。
【００５２】
その結果、携帯端末装置１００の電源がＯＦＦの状態であっても、防犯ブザースイッチ１０５をＯＮにしてから防犯ブザーの鳴動が開始されるまでほとんどタイムラグなく行なうことができる。
【００５３】
本実施例に係る携帯端末装置１００は、簡易音源制御部１０２ｃ、音源部１０９および１１０をソフトウェア制御によって鳴動するため、携帯端末装置１００毎に音源制御のためのハードウェアが不要となる。その結果、防犯ブザー装置の製造コストを削減することが可能となる。
【００５４】
図５に示したステップＳ５０１のように、残容量が基準容量以下の場合に、無線部１０２のみ無線部１０２を起動して鳴動処理を行なうことにより、電力消費を抑えられる。その結果、バッテリの残容量が少ない場合でも、鳴動時間をより長時間確保することが可能となる。
【００５５】
同様に、携帯端末装置１００の電源がＯＮの状態で防犯ブザースイッチ１０５がＯＮされた場合、残容量が基準容量以下のとき、電源制御部１０２ｂは、アプリケーション部１０３への電力の供給を停止して、無線部１０２（残容量に応じて簡易音源制御部１０２ｃまたは音源制御部１０２ｄ）に鳴動処理を指示するので、電力消費が抑えられる。その結果、バッテリの残容量が少ない場合でも、鳴動時間をより長時間確保することが可能となる。
【００５６】
鳴動時間を長時間確保することにより、防犯ブザー装置における防犯機能を向上することが可能となる。
以上のように、本携帯端末装置によると、携帯端末装置がＯＦＦの状態においてブザーの鳴動が指示された場合でも、電源投入後直ちに第１の音源制御手段が動作して、第１の音源から第１のブザー音を鳴動させるので、第２の音源による第２のブザー音を鳴動する前からブザーの鳴動を開始することが可能となる。
【図面の簡単な説明】
【００５７】
【図１】本実施例に係るブザーを防犯用に備えた携帯端末装置の構成例を示す図である。
【図２】本実施例に係る携帯端末装置の防犯ブザースイッチの例を示している。
【図３】本実施例に係る携帯端末装置における防犯ブザーの鳴動処理の概要について説明する図である。
【図４】図３に示した本実施例に係る防犯ブザーの鳴動処理における各処理部の動作を説明する図である。
【図５】本実施例に係る携帯端末装置の防犯ブザーの鳴動処理を説明するフローチャートである。
【符号の説明】
【００５８】
１００      携帯端末装置
１０１      アンテナ
１０２      無線部（第１の制御部）
１０２ａ      通信制御部
１０２ｂ      電源制御部
１０２ｃ      簡易音源制御部
１０２ｄ      音源制御部
１０３        アプリケーション部（第２の制御部）
１０３ａ      画面表示制御部
１０３ｂ      キーパット制御部
１０３ｃ      音源制御部
１０４      ＩＦ制御部
１０５      防犯ブザースイッチ
１０６      表示部
１０７      キーパット部
１０８      簡易音源部（音源）
１０９      音源部
１１０      音源部
１１１      スピーカ（鳴動装置）
【図１】
0005065228.tif 000002
【図２】
0005065228.tif 000003
【図３】
0005065228.tif 000004
【図４】
0005065228.tif 000005
【図５】
0005065228.tif 000006